(57)【要約】【目的】  本発明は、絞り部によって袖口部が着衣者の手首部分に固定されたとしても、上衣の動作性を向上させる。【構成】  上衣は、袖２００ａ、絞り部３００ａ、前身頃１００ａ及び後身頃１００ｂを備えている。袖２００ａは、袖口部２０２ａ及び根元部２０１ａを有している。絞り部３００は、袖２００ａの袖口部２０２ａを初期状態から縮径するように絞ることが可能な構成である。前身頃１００ａは、袖２００ａの根元部２０１ａの近傍に設けられた胸部１１０ａを有している。後身頃１００ｂは、袖２００ａの根元部２０１ａの近傍に設けられた背部１１０ｂを有している。胸部１１０ａ及び背部１１０ｂの少なくとも一方が伸縮可能である。【選択図】      図１Ａ
2020186498.tif 000002
【特許請求の範囲】
【請求項１】
袖口部及び根元部を有する袖と、
前記袖の前記袖口部を初期状態から縮径するように絞ることが可能な絞り部と、
前記袖の前記根元部の近傍に設けられた胸部を有する前身頃と、
前記袖の前記根元部の近傍に設けられた背部を有する後身頃とを備えており、
前記胸部及び前記背部の少なくとも一方が伸縮可能である上衣。
【請求項２】
請求項１記載の上衣において、
前記袖は、前記袖口部を有する前腕部を有し、前記袖口部の袖丈方向の寸法は、前記前腕部の前記袖丈方向の寸法の略１／３以上且つ略２／３以下の寸法であり、
前記絞り部は、耐摩耗性を有する保護カバーと、第１面ファスナと、第２面ファスナとを有しており、
前記保護カバーは、固定端を有しており、前記保護カバーが前記袖口部の外周面の表側の部分を覆うように、前記固定端が前記袖口部に接続されており、前記袖口部の前記外周面の前記表側の部分は、前記袖口部のうち着衣時に着衣者の手の甲側に位置する部分であり、
前記第１面ファスナは、前記保護カバーの内面に設けられており、
前記第２面ファスナは、前記袖口部の前記外周面の前記表側の部分に設けられており且つ前記第１面ファスナに対して着脱可能である上衣。
【請求項３】
請求項１〜２の何れかに記載の上衣において、
前記袖口部は、前記前身頃及び前記後身頃側の内側部及びその反対の外側部を有し、
前記保護カバーの前記固定端は、前記袖口部の前記内側部に接続されており、
前記保護カバーは、前記固定端の反対側の端であり且つ前記袖口部の前記外側部側に配置される自由端を更に有している上衣。
【請求項４】
請求項１〜３の何れかに記載の上衣において、
前記前身頃及び前記後身頃は、耐水性を有している上衣。
【請求項５】
請求項１〜４の何れかに記載の上衣において、
前記胸部及び前記背部に連接されており且つ伸縮可能な脇下部を更に備えている上衣。
【請求項６】
請求項５記載の上衣において、
前記脇下部は、耐水性及び通気性を有している上衣。
【請求項７】
請求項１〜６の何れかに記載の上衣において、
前記袖は、袖本体と、前記袖本体に連接されており且つ伸縮可能な袖下部とを有している上衣。
【請求項８】
請求項７記載の上衣において、
前記袖下部は、耐水性及び通気性を有し、
前記袖本体は、耐水性を有している上衣。
【請求項９】
請求項１〜８の何れかに記載の上衣において、
前記胸部は、外生地及び内生地を有しており、前記外生地及び前記内生地の少なくとも一方が、伸縮可能である上衣。
【請求項１０】
請求項９記載の上衣において、
前記胸部の前記外生地と前記胸部の前記内生地との間には、クッション材が設けられている上衣。
【請求項１１】
請求項１〜１０の何れかに記載の上衣において、
前記背部は、外生地及び内生地を有しており、前記背部の前記外生地及び前記内生地の少なくとも一方が、伸縮可能である上衣。
【請求項１２】
請求項１１記載の上衣において、
前記背部の前記外生地と前記胸部の前記内生地との間には、クッション材が設けられている上衣。
【請求項１３】
請求項１〜１２の何れかに記載の上衣において、
前記袖、前記前身頃及び前記後身頃に連接された耐摩耗性を有する肩部を更に備えており、
前記肩部内には、クッション材が設けられている上衣。
【請求項１４】
請求項１〜１３の何れかに記載の上衣において、
前記後身頃は、着衣者の臀部を覆うことが可能な下端部を更に有しており、
前記後身頃の前記下端部の外面には、耐摩耗性の保護部が設けられている上衣。
【請求項１５】
請求項１〜１４の何れかに記載の上衣において、
前記前身頃の身丈は、着衣者が股上げしたときに、着衣者の脚に干渉しない長さである上衣。
【発明の詳細な説明】
【技術分野】
【０００１】
本発明は、上衣に関する。
【背景技術】
【０００２】
従来の上衣が、下記特許文献１に記載されている。この上着の袖口部には、当該袖口部を絞ることが可能な絞り部が設けられている。この絞り部は、ベルトと、第１、第２面ファスナとを有している。ベルトは、その一端が袖口部に止着されている。第１面ファスナは、ベルトの内面に設けられている。第２面ファスナは、袖口部の外周面のベルトに対向する領域及びこれに連続する領域に設けられている。第２面ファスナの長さ寸法は、第１面ファスナの長さ寸法よりも大きい。ここで、第２面ファスナのベルトの一端側の部分を手前側部分と称し、この手前側部分の反対側の部分を先端側部分と称する。第１面ファスナが第２面ファスナの先端側部分に取り付けられることによって、袖口部が縮径されるように絞られ、その状態で固定される。
【先行技術文献】
【特許文献】
【０００３】
【特許文献１】特開平１０−１０２３０３号公報
【発明の概要】
【発明が解決しようとする課題】
【０００４】
袖口部が縮径するように絞られた状態で固定されることによって、当該袖口部が上衣の着衣者の手首部分に固定されるため、着衣者の動作性が悪くなる。
【０００５】
本発明は、絞り部によって袖口部が着衣者の手首部分に固定されたとしても、動作性を向上させることができる上衣を提供することにある。
【課題を解決するための手段】
【０００６】
上記課題を解決するために、本発明の一態様の上衣は、袖、絞り部、前身頃及び後身頃を備えている。袖は、袖口部及び根元部を有している。絞り部は、袖の袖口部を初期状態から縮径するように絞ることが可能な構成である。前身頃は、袖の根元部の近傍に設けられた胸部を有している。後身頃は、袖の根元部の近傍に設けられた背部を有している。胸部及び背部の少なくとも一方が伸縮可能である。
このような態様の上衣による場合、動作性が向上する。なぜなら、絞り部によって袖口部が着衣者の手首部分に固定された状態（固定状態）で、着衣者が腕を動かすと、胸部及び背部の少なくとも一方が伸びるからある。
【０００７】
袖は、袖口部を有する前腕部を有する構成とすることが可能である。袖口部の袖丈方向の寸法は、前腕部の袖丈方向の寸法の略１／３以上且つ略２／３以下の寸法とすることが可能である。絞り部は、耐摩耗性を有する保護カバーと、第１面ファスナと、第２面ファスナとを有する構成とすることが可能である。保護カバーは、固定端を有しており、保護カバーが袖口部の外周面の表側の部分を覆うように、固定端が袖口部に接続された構成とすることが可能である。袖口部の外周面の表側の部分は、袖口部のうち着衣時に着衣者の手の甲側に位置する部分とすることが可能である。第１面ファスナは、保護カバーの内面に設けられ、第２面ファスナは、袖口部の外周面の表側の部分に設けられており且つ第１面ファスナに対して着脱可能である構成とすることが可能である。
このような態様の上衣による場合、袖口部の外周面の表側の部分が保護カバーによって覆われ、保護される。保護カバーは、耐摩耗性を有しているため、擦れに強い。
【０００８】
袖口部は、前身頃及び後身頃側の内側部及びその反対の外側部を有する構成とすることが可能である。保護カバーの固定端は、袖口部の内側部に接続された構成とすることが可能である。保護カバーは、固定端の反対側の端であり且つ袖口部の外側部側に配置される自由端を更に有する構成とすることが可能である。このような態様の上衣による場合、保護カバーの自由端が袖口部の外側部側に配置されるため、着衣者の動作中に、自由端を建物や資材などに引っかけ難くなる。
【０００９】
前身頃及び後身頃は、耐水性を有する構成とすることが可能である。
【００１０】
上記した何れかの態様の上衣は、胸部及び背部に連接されており且つ伸縮可能な脇下部を更に備えた構成とすることが可能である。このような態様の上衣による場合、動作性が更に向上する。固定状態で、着衣者が腕を上げると、脇下部が伸びるためである。
【００１１】
脇下部は、耐水性及び通気性を有する構成とすることが可能である。
【００１２】
袖は、袖本体と、袖本体に連接されており且つ伸縮可能な袖下部とを有する構成とすることが可能である。このような態様の上衣による場合、動作性が更に向上する。固定状態で、着衣者が腕を上げたり、腕を曲げたりすると、袖下部が伸びるためである。
【００１３】
袖下部は、耐水性及び通気性を有する構成とすることが可能である。袖本体は、耐水性を有する構成とすることが可能である。
【００１４】
胸部は、外生地及び内生地を有する構成とすることが可能である。この場合、外生地及び内生地の少なくとも一方が、伸縮可能な生地とすることが可能である。
【００１５】
胸部の外生地と胸部の内生地との間には、クッション材が設けられた構成とすることが可能である。このような態様の上衣による場合、胸部内のクッション材によって、着衣者の胸を保護できる。
【００１６】
背部は、外生地及び内生地を有する構成とすることが可能である。この場合、背部の外生地及び内生地の少なくとも一方が、伸縮可能な生地とすることが可能である。
【００１７】
背部の外生地と胸部の内生地との間には、クッション材が設けられた構成とすることが可能である。このような態様の上衣による場合、背部内のクッション材によって、着衣者の背中の上端部を保護できる。
【００１８】
上記した何れかの態様の上衣は、袖、前身頃及び後身頃に連接された耐摩耗性を有する肩部を更に備えた構成とすることが可能である。このような態様の上衣による場合、肩部が耐摩耗性を有するため、擦れに強い。
【００１９】
肩部内には、クッション材が設けられた構成とすることが可能である。このような態様の上衣による場合、肩部内のクッション材によって、着衣者の肩を保護できる。
【００２０】
後身頃は、着衣者の臀部を覆うことが可能な下端部を更に有する構成とすることが可能である。後身頃の下端部の外面には、耐摩耗性の保護部が設けられた構成とすることが可能である。このような態様の上衣による場合、後身頃の保護部によって、後身頃の下端部が、擦れに強くなる。
【００２１】
前身頃の身丈は、着衣者が股上げしたときに、着衣者の脚に干渉しない長さとすることが可能である。このような態様の上衣による場合、着衣者が股上げしたときに、股に前身頃が干渉し難いため、本上衣の動作性が向上する。
【図面の簡単な説明】
【００２２】
【図１Ａ】本発明の実施例１に係る上衣の正面図である。
【図１Ｂ】前記上衣の背面図である。
【図２Ａ】前記上衣の正面図であって、保護カバーを開いた状態の図である。
【図２Ｂ】前記上衣の背面図であって、保護カバーを開いた状態の図である。
【図３】前記上衣の袖下部及び脇部分を示す説明図である。
【発明を実施するための形態】
【００２３】
以下、本発明の実施例１を含む複数の実施例に係る上衣ついて図１Ａ〜図３を参照しつつ説明する。この上衣は、作業用の雨着であって、前身頃１００ａ及び後身頃１００ｂを備えている。なお、図１Ａ〜図３には、実施例１に係る上衣が示されている。上衣を、着衣者が着た状態を装着状態と称する。
【００２４】
前身頃１００ａは、一対の胸部１１０ａを有している。一対の胸部１１０ａのうちの一方の胸部１１０ａは、前身頃１００ａの右胸部分であって、右側の袖ぐり１０１ａを有し、他方の胸部１１０ａは、前身頃１００ａの左胸部分であって、左側の袖ぐり１０１ａを有している。一対の胸部１１０ａは、外生地及び内生地を各々有する構成とすることが可能である。各胸部１１０ａの外生地及び内生地の少なくとも一方の生地は、少なくとも伸縮性（ストレッチ性）を有する第１生地、伸縮性（ストレッチ性）及び通気性（透湿性）を有する第２生地又は伸縮性（ストレッチ性）、通気性（透湿性）及び耐水性を有する第３生地で構成することが可能である。他方の生地が、第１〜第３生地で構成されていない場合、任意の生地で構成することが可能であるが、伸縮性（ストレッチ性）、通気性（透湿性）又は耐水性を有する生地で構成することが可能である。
例えば、各胸部１１０ａの外生地が、耐水圧が１００００ｍｍ以上であり、透湿度が５０００ｇ／ｍ２・２４ｈ以上のポリエステルを主材料とする伸縮性の高いニット素材（第３生地）で構成され、各胸部１１０ａの内生地が、通気性の高いメッシュ生地で構成することが可能である。
各胸部１１０ａの外生地と内生地との間には、図示しないクッション材が設けられていても良い。このクッション材の厚みは、例えば、約１０ｍｍ程度とすることが可能であるが、これに限定されるものではない。また、クッション材自体がメッシュ状になっていても良い。
【００２５】
別の態様では、一対の胸部１１０ａは、一枚の生地で各々構成することが可能である。この場合、前記生地は、例えば、第１〜第３生地の何れかによって構成可能である。
【００２６】
前身頃１００ａは、一対のボディ部１２０ａを更に有している。一対のボディ部１２０ａのうちの一方のボディ部１２０ａは、一方の胸部１１０ａよりも下側の部分であって、右端の外測辺１０２ａを有し、他方のボディ部１２０ａは、他方の胸部１１０ａよりも下側の部分であって、左端の外測辺１０２ａを有している。一対のボディ部１２０ａは、外生地及び内生地を各々有する構成とすることが可能である。外生地及び内生地は、それぞれ、伸縮性（ストレッチ性）、通気性（透湿性）及び／又は耐水性を有する生地で構成することが可能である。
例えば、各ボディ部１２０ａの外生地が、耐水圧が１００００ｍｍ以上であり、透湿度が５０００ｇ／ｍ２・２４ｈ以上のポリエステルを主材料とする生地で構成され、各ボディ部１２０ａの内生地が、タフタで構成されていても良い。
【００２７】
別の態様では、一対のボディ部１２０ａは、一枚の生地で各々構成することが可能である。この場合、各ボディ部１２０ａの一枚の生地は、各ボディ部１２０ａの外生地と同様の生地とすることが可能である。
【００２８】
一方の胸部１１０ａ及び一方のボディ部１２０ａは内測辺を有し、他方の胸部１１０ａ及び他方のボディ部１２０ａは内測辺を有する。両内測辺には、線ファスナＳが設けられ、開閉可能となっている。
【００２９】
前身頃１００ａの身丈は、装着状態で着衣者が股上げしたときに、着衣者の脚に干渉しない長さとすることが可能である。なお、前身頃１００ａの身丈は、任意に設定できる。
【００３０】
後身頃１００ｂは、背部１１０ｂを有している。背部１１０ｂは、後身頃１００ｂの上端部であって、一対の袖ぐり１０１ｂを有している。換言すると、背部１１０ｂは、後身頃１００ｂの上端部であって、右側の袖ぐり１０１ｂから左側の袖ぐり１０１ｂまでの部分である。背部１１０ｂは、胸部１１０ａと同様の外生地及び内生地を有する構成とすることが可能であるし、胸部１１０ａと同様の一枚の生地で構成することも可能である。背部１１０ｂの外生地と内生地との間には、図示しないクッション材が設けられていても良い。このクッション材の厚みは、例えば、約１０ｍｍ程度とすることが可能であるが、これに限定されるものではない。また、クッション材自体がメッシュ状になっていても良い。
【００３１】
後身頃１００ｂは、ボディ部１２０ｂを更に有している。ボディ部１２０ｂは、後身頃１００ｂの背部１１０ｂよりも下側の部分であって、左右一対の外測辺１０２ｂを有している。一方のボディ部１２０ａの右端の外測辺１０２ａと、ボディ部１２０ｂの右側の外測辺１０２ｂとが縫い合わせ及び／又は接着テープなどの張り合わせによって接合されており、他方のボディ部１２０ａの左端の外測辺１０２ａと、ボディ部１２０ｂの左側の外測辺１０２ｂとが縫い合わせ及び／又は接着テープなどの張り合わせによって接合されている。ボディ部１２０ｂは、ボディ部１２０ａと同様の外生地及び内生地を有する構成とすることが可能であるし、ボディ部１２０ａと同様の一枚の生地で構成することも可能である。
【００３２】
後身頃１００ｂの身丈は、装着状態で後身頃１００ｂのボディ部１２０ｂの下端部が着衣者の臀部を覆う長さとすることが可能である。この場合、ボディ部１２０ｂの下端部の外面には、耐摩耗性を有する少なくとも一つの保護部１３０ｂが設けられていても良い。少なくとも一つの保護部１３０ｂは、複数とすることが可能である。なお、後身頃１００ｂの身丈は、任意に設定できる。また、保護部１３０ｂは省略可能である。
【００３３】
上衣は、袖２００ａ、２００ｂを更に備えている。袖２００ａ、２００ｂは、根元部２０１ａ、２０１ｂを有している。根元部２０１ａが前身頃１００ａの右側の胸部１１０ａの右側の袖ぐり１０１ａ及び後身頃１００ｂの背部１１０ｂの右側の袖ぐり１０１ｂに縫い合わせ及び／又は接着テープなどの張り合わせによって接合されている。根元部２０１ｂが前身頃１００ａの左側の胸部１１０ａの左側の袖ぐり１０１ａ及び後身頃１００ｂの背部１１０ｂの左側の袖ぐり１０１ｂに縫い合わせ及び／又は接着テープなどの張り合わせによって接合されている。袖２００ａ、２００ｂは、前腕部を更に有している。前腕部は、袖２００ａ、２００ｂの肘部から先端までの部分であって、袖口部２０２ａ、２０２ｂを有している。袖口部２０２ａ、２０２ｂの袖丈方向（以下、単に丈方向とも称する。）の寸法は、前腕部の丈方向の寸法の略１／３以上且つ略２／３以下の寸法である。袖口部２０２ａ、２０２ｂの袖口幅方向（以下、単に幅方向とも称する。）は、一般的な着衣者の手首部分の幅よりも大きい。
【００３４】
袖２００ａ、２００ｂは、袖本体２１０ａ、２１０ｂと、袖下部２２０ａ、２２０ｂとを有していても良い。袖本体２１０ａ、２１０ｂは断面視略Ｃ字状に湾曲している。袖本体２１０ａ、２１０ｂは、袖周方向の第１端と、その反対側の第２端とを有している。袖下部２２０ａ、２２０ｂは、短手方向の第１端及びその反対の第２端を有している。袖下部２２０ａ、２２０ｂの第１端と袖本体２１０ａ、２１０ｂの第１端とが縫い合わせ及び／又は接着テープなどの張り合わせによって接合され、袖下部２２０ａ、２２０ｂの第２端と袖本体２１０ａ、２１０ｂの第２端とが縫い合わせ及び／又は接着テープなどの張り合わせによって接合されている。このように接合された袖本体２１０ａ、２１０ｂ及び袖下部２２０ａ、２２０ｂの基端部が根元部２０１ａ、２０１ｂとなり、袖本体２１０ａ、２１０ｂ及び袖下部２２０ａ、２２０ｂの先端部が、袖口部２０２ａ、２０２ｂを有する前腕部となる。
【００３５】
袖本体２１０ａ、２１０ｂは、ボディ部１２０ａと同様の外生地及び内生地を各々有する構成とすることが可能であるし、ボディ部１２０ａと同様の一枚の生地で各々構成することが可能である。袖下部２２０ａ、２２０ｂは、胸部１１０ａと同様の外生地及び内生地を有する構成とすることが可能であるし、胸部１１０ａと同様の一枚の生地で構成することも可能である。
【００３６】
袖下部２２０ａ、２２０ｂは省略可能である。この場合、袖本体２１０ａ、２１０ｂを円筒状とし、袖本体２１０ａ、２１０ｂが、根元部２０１ａ、２０１ｂと、袖口部２０２ａ、２０２ｂを有する前腕部を有する構成とすれば良い。
【００３７】
上衣は、脇下部４００ａ、４００ｂを更に備えていても良い。この場合、前身頃１００ａの左右の胸部１１０ａは、袖ぐり１０１ａより下側に位置する外測辺を更に有し、後身頃１００ｂの背部１１０ｂの左右の袖ぐり１０１ｂより下側に位置する左右の外測辺を更に有している。脇下部４００ａは、右の胸部１１０ａの外測辺及び背部１１０ｂの右の外測辺に縫い合わせ及び／又は接着テープなどの張り合わせによって接合され、両者間に位置している。このように脇下部４００ａは、右の胸部１１０ａの外測辺及び背部１１０ｂの右の外測辺に連接されている。脇下部４００ｂは、左の胸部１１０ａの外測辺及び背部１１０ｂの左の外測辺に縫い合わせ及び／又は接着テープなどの張り合わせによって接合され、両者間に位置している。このように脇下部４００ｂは、左の胸部１１０ａの外測辺及び背部１１０ｂの左の外測辺に連接されている。
【００３８】
脇下部４００ａ、４００ｂは、胸部１１０ａと同様の外生地及び内生地を有する構成とすることが可能であるし、胸部１１０ａと同様の一枚の生地で構成することも可能である。脇下部４００ａ、４００ｂは、袖下部２２０ａ、２２０ｂと一体的に構成されていても良い。すなわち、袖下部２２０ａ、２２０ｂ及び脇下部４００ａ、４００ｂが、胸部１１０ａと同様の外生地及び内生地を有する構成とすることが可能であるし、胸部１１０ａと同様の一枚の生地で構成することも可能である。
【００３９】
なお、脇下部４００ａ、４００ｂは省略可能である。この場合、右の胸部１１０ａの外測辺と背部１１０ｂの右の外測辺とが縫い合わせ及び／又は接着テープなどの張り合わせによって接合され、左の胸部１１０ａの外測辺と背部１１０ｂの左の外測辺とが縫い合わせ及び／又は接着テープなどの張り合わせによって接合されていても良いし、前身頃１００ａ及び後身頃１００ｂの一部が脇下部を構成していても良い。
【００４０】
上衣は、絞り部３００ａ、３００ｂを更に備えている。絞り部３００ａ、３００ｂは、袖２００ａ、２００ｂの袖口部２０２ａ、２０２ｂを初期状態から縮径するように絞ることが可能な構成である。絞り部３００ａ、３００ｂは、保護カバー３１０ａ、３１０ｂ、少なくとも一つの第１面ファスナ３２０ａ、３２０ｂ及び少なくとも一つの第２面ファスナ３３０ａ、３３０ｂを有する構成とすることが可能である。
【００４１】
保護カバー３１０ａ、３１０ｂは、耐摩耗性及び／又は耐久性を有する生地で構成されている。例えば、保護カバー３１０ａ、３１０ｂは、ポリエステル等の縦糸、横糸で織られたオックスフォード生地で構成され、上記タフタ生地よりも耐摩耗性及び／又は耐久性を向上させているが、これに限定されるものではない。縦糸、横糸は、引きそろえられた複数の糸（例えば、２〜４本）で構成されている。保護カバー３１０ａ、３１０ｂの耐摩耗性及び／又は耐久性は、袖口部２０２ａ、２０２ｂの耐摩耗性及び／又は耐久性よりも高くすると良い。保護カバー３１０ａ、３１０ｂは、略矩形状であって、袖口部２０２ａ、２０２ｂの丈方向及び幅方向に延びている。保護カバー３１０ａ、３１０ｂの丈方向の寸法は、袖口部２０２ａ、２０２ｂの丈方向の寸法と略同じとすることが可能である。すなわち、保護カバー３１０ａ、３１０ｂの丈方向の寸法は、前腕部の丈方向の寸法の略１／３以上且つ略２／３以下の寸法とすることが可能である。保護カバー３１０ａ、３１０ｂの幅方向の寸法は、袖口部２０２ａ、２０２ｂの幅方向の寸法と略同じ又はそれ以上とすることが可能である。
【００４２】
保護カバー３１０ａ、３１０ｂは、幅方向の一端である固定端と、その反対側の自由端とを有する。保護カバー３１０ａ、３１０ｂの固定端は、保護カバー３１０ａ、３１０ｂが袖口部２０２ａ、２０２ｂの外周面の表側の部分を覆うように、袖口部２０２ａ、２０２ｂに縫い合わせ及び／又は接着テープなどの張り合わせによって接続されている。例えば、保護カバー３１０ａ、３１０ｂの固定端は、袖口部２０２ａ、２０２ｂの内側部（前身頃１００ａ及び後身頃１００ｂ側の部分）に接続され、保護カバー３１０ａ、３１０ｂの自由端が、袖口部２０２ａ、２０２ｂの外側部側に位置していると良いが、その逆でも良い。保護カバー３１０ａ、３１０ｂにより、袖口部２０２ａ、２０２ｂの外周面の表側の部分が保護される。なお、本発明における袖口部２０２ａ、２０２ｂの外周面の表側の部分とは、装着状態で、着衣者の手の甲側に位置する部分である。
【００４３】
少なくとも一つの第１面ファスナ３２０ａ、３２０ｂは、保護カバー３１０ａ、３１０ｂの内面に設けられている。少なくとも一つの第１面ファスナ３２０ａ、３２０ｂは、幅方向に延びている。少なくとも一つの第１面ファスナ３２０ａ、３２０ｂは、複数とすることが可能である。この場合、複数の第１面ファスナ３２０ａ、３２０ｂは、丈方向に間隔をあけて配置されている。
【００４４】
少なくとも一つの第２面ファスナ３３０ａ、３３０ｂは、袖口部２０２ａ、２０２ｂの外周面の表側の部分に設けられている。少なくとも一つの第２面ファスナ３３０ａ、３３０ｂは、幅方向に延びている。少なくとも一つの第２面ファスナ３３０ａ、３３０ｂは、複数とすることが可能である。この場合、複数の第２面ファスナ３３０ａ、３３０ｂは、丈方向に間隔をあけて配置されている。一又は複数の第２面ファスナ３３０ａ、３３０ｂは、幅方向において、保護カバー３１０ａの自由端を越えて延びていても良いが、これに限定されるものではない。以下、説明の便宜上、少なくとも一つの第２面ファスナ３３０ａ、３３０ｂの保護カバー３１０ａの固定端側を根元側、その反対側を先端側と称する。
【００４５】
少なくとも一つの第１面ファスナ３２０ａ、３２０ｂ及び少なくとも一つの第２面ファスナ３３０ａ、３３０ｂの何れか一方が雄面ファスナであり、他方が雌面ファスナであって、両者が着脱可能に張り合わされている。袖口部２０２ａ、２０２ｂの袖周りが縮んでいない状態で、少なくとも一つの第１面ファスナ３２０ａ、３２０ｂ及び少なくとも一つの第２面ファスナ３３０ａ、３３０ｂが張り合わされている状態が、初期状態であるが、初期状態は任意に設定可能である。保護カバー３１０ａ、３１０ｂの少なくとも一つの第１面ファスナ３２０ａ、３２０ｂが、初期状態よりも少なくとも一つの第２面ファスナ３３０ａ、３３０ｂに対して先端側に張り合わされることによって、袖口部２０２ａ、２０２ｂの袖周りが縮径するように絞られる。装着状態においては、絞られた袖口部２０２ａ、２０２ｂが着衣者の手首部分に固定される。
【００４６】
別の態様では、少なくとも一つの第１面ファスナ３２０ａ、３２０ｂは、丈方向に延びていても良い。少なくとも一つの第１面ファスナ３２０ａ、３２０ｂが複数である場合、複数の第１面ファスナ３２０ａ、３２０ｂは、幅方向に間隔をあけて配置されていると良い。
【００４７】
別の態様では、少なくとも一つの第２面ファスナ３３０ａ、３３０ｂは、丈方向に延びていても良い。少なくとも一つの第２面ファスナ３３０ａ、３３０ｂが複数である場合、複数の第２面ファスナ３３０ａ、３３０ｂは、幅方向に間隔をあけて配置されていると良い。
【００４８】
上衣は、肩部５００ａ、５００ｂを更に備えている。この場合、前身頃１００ａの左右の胸部１１０ａは、袖ぐり１０１ａより上側に位置する上辺を更に有し、後身頃１００ｂの背部１１０ｂの左右の袖ぐり１０１ｂより上側に位置する左右の上辺を更に有している。肩部５００ａ、５００ｂは、平面視略五角形状又は平面視略矩形状である。肩部５００ａは、袖２００ａの根元部２０１ａ、前身頃１００ａの右側の胸部１１０ａの上辺及び後身頃１００ｂの背部１１０ｂの右側の上辺に縫い合わせ及び／又は接着テープなどの張り合わせによって接合されている。肩部５００ｂは、袖２００ｂの根元部２０１ｂ、前身頃１００ａの左側の胸部１１０ａの上辺及び後身頃１００ｂの背部１１０ｂの左側の上辺に縫い合わせ及び／又は接着テープなどの張り合わせによって接合されている。
【００４９】
肩部５００ａ、５００ｂは、ボディ部１２０ａと同様の外生地及び内生地を有する構成とすることが可能であるし、ボディ部１２０ａと同様の一枚の生地で構成することも可能である。肩部５００ａ、５００ｂの外生地は、耐摩耗性を更に有していても良い。肩部５００ａ、５００ｂの外生地と内生地との間には、図示しないクッション材が設けられていても良い。このクッション材の厚みは、例えば、約１０ｍｍ程度とすることが可能であるが、これに限定されるものではない。
【００５０】
なお、肩部５００ａ、５００ｂは省略可能である。この場合、右の胸部１１０ａの上辺と背部１１０ｂの右の上辺とが縫い合わせ及び／又は接着テープなどの張り合わせによって接合され、左の胸部１１０ａの上辺と背部１１０ｂの左の上辺とが縫い合わせ及び／又は接着テープなどの張り合わせによって接合されていても良いし、前身頃１００ａ及び後身頃１００ｂの一部が肩部を構成していても良い。
【００５１】
以上のような上衣は、以下の技術的特徴及び効果を奏する。
（１）本上衣は、動作性が向上する。その理由は以下の通りである。
前身頃１００ａの一対の胸部１１０ａ及び後身頃１００ｂの背部１１０ｂが少なくとも伸縮性を有する生地で構成されているので、絞り部３００ａ、３００ｂによって、袖２００ａ、２００ｂの袖口部２０２ａ、２０２ｂが絞られ、着衣者の手首部分に固定された状態（固定状態）で、着衣者が腕を後側に動かすと、腕の動きに応じて胸部１１０ａが伸び、着衣者が腕を前側に動かすと、腕の動きに応じて背部１１０ｂが伸びるため、腕の動きが阻害され難い。
しかも、本上衣が、脇下部４００ａ、４００ｂを備えている場合、固定状態で、着衣者が腕を上側に動かすと、腕の動きに応じて脇下部４００ａ、４００ｂが伸びるため、この点でも、腕の動きが阻害され難い。
更に、本上衣が、袖２００ａ、２００ｂの袖下部２２０ａ、２２０ｂを備えている場合、固定状態で、着衣者が腕を上側に動かしたり、腕を曲げたりすると、腕の動きに応じて袖下部２２０ａ、２２０ｂが伸びるため、この点でも、腕の動きが阻害され難い。なお、袖下部２２０ａ、２２０ｂと脇下部４００ａ、４００ｂが一体化されている場合、より腕を上側に動かし易くなる。
【００５２】
（２）袖下部２２０ａ、２２０ｂの外周面の表側の部分が絞り部３００ａ、３００ｂの保護カバー３１０ａ、３１０ｂによって覆われ、保護されている。保護カバー３１０ａ、３１０ｂは、耐摩耗性を有し、擦れに強いため、保護カバー３１０ａ、３１０ｂを建物の壁や建材などに擦ったとしても、袖下部２２０ａ、２２０ｂが擦れることがない。
また、後身頃１００ｂのボディ部１２０ｂの下端部に少なくとも保護部１３０ｂが設けられている場合、保護部１３０ｂが耐摩耗性を有し、擦れに強いため、少なくとも一つの保護部１３０ｂによって着衣者の腰に吊り下げた道具（所謂、腰道具）から後身頃１００ｂのボディ部１２０ｂの下端部が保護される。
また、本上衣が、肩部５００ａ、５００ｂを備えている場合、肩部５００ａ、５００ｂが耐摩耗性を有し、擦れに強いため、ハーネスの肩ベルトによって擦れ難くなる。肩部５００ａ、５００ｂ内にクッション材が設けられている場合、肩部５００ａ、５００ｂ内のクッション材によって、着衣者の肩がハーネスの肩ベルトから保護される。
また、前身頃１００ａの一対の胸部１１０ａ内にクッション材が設けられている場合、胸部１１０ａ内のクッション材によって、着衣者の胸がハーネスの肩ベルトから保護される。
また、前身頃１００ａの背部１１０ｂ内にクッション材が設けられている場合、背部１１０ｂ内のクッション材によって、着衣者の胸がハーネスの肩ベルトから保護される。
【００５３】
（３）絞り部３００ａの保護カバー３１０ａ、３１０ｂの固定端が袖下部２２０ａ、２２０ｂの内測部に接続され、保護カバー３１０ａ、３１０ｂの自由端が袖下部２２０ａ、２２０ｂの外測部側に配置されている場合、保護カバー３１０ａ、３１０ｂの自由端を建物の壁や建材などに引っかけ難くなる。
【００５４】
なお、上記した上衣は、上記実施例に限定されるものではなく、特許請求の範囲の記載範囲において任意に設計変更することが可能である。以下、詳しく述べる。
【００５５】
上記実施例では、胸部１１０ａ及び背部１１０ｂの双方が伸縮可能であるとしたが、本発明では、胸部及び前記背部の少なくとも一方が伸縮可能であれば良い。
【００５６】
本発明の絞り部は、袖の袖口部を初期状態から縮径するように絞ることが可能である限り任意に設計変更することが可能である。例えば、絞り部は、保護カバーに代えてベルトやフラップを有する構成とすることが可能である。また、絞り部は、袖口部に通された紐と、留め具とを有し、この紐を引っ張って、袖の袖口部を初期状態から縮径するように絞り、その状態を留め具で留める構成とすることも可能である。これらの場合、袖口部の袖丈方向の寸法は、任意に決定できる。すなわち、袖口部の袖丈方向の寸法は、前腕部の袖丈方向の略１／３未満の寸法とすることが可能である。なお、本発明の保護カバーは複数とすることが可能である。この場合、保護カバーは、丈方向に並べて配置されていると良い。
【００５７】
本発明のクッション材は、省略可能である。
【００５８】
本発明の「接合」は、上記した直接的な接合に限定されるものではなく、シールテープや当て布を介して間接的に接合するものも含む。
【００５９】
なお、上記実施例の各態様及び設計変形例における上衣の各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。
【００６０】
本発明の上衣は、作業用の雨着以外の上衣に適用可能である。
【符号の説明】
【００６１】
１００ａ：前身頃
１０１ａ：袖ぐり
１０２ａ：外測辺
１１０ａ：胸部
１２０ａ：ボディ部
１００ｂ：後身頃
１０１ｂ：袖ぐり
１０２ｂ：外測辺
１１０ｂ：背部
１２０ｂ：ボディ部
２００ａ、２００ｂ：袖
２０１ａ、２０１ｂ：根元部
２０２ａ、２０２ｂ：袖口部
２１０ａ、２１０ｂ：袖本体
２２０ａ、２２０ｂ：袖下部
３００ａ、３００ｂ：絞り部
３１０ａ、３１０ｂ：保護カバー
３２０ａ、３２０ｂ：第１面ファスナ
３３０ａ、３３０ｂ：第２面ファスナ
４００ａ、４００ｂ：脇下部
５００ａ、５００ｂ：肩部
【図１Ａ】
2020186498.tif 000003
【図１Ｂ】
2020186498.tif 000004
【図２Ａ】
2020186498.tif 000005
【図２Ｂ】
2020186498.tif 000006
【図３】
2020186498.tif 000007